(57)【要約】【課題】光学的情報読取装置又は情報処理端末において、ユーザの使い勝手が良く、耐久性の面でも有利な入力構成を提供する。【解決手段】光学的情報読取装置１には、表示部１３と対向する側の空間に指先が配置されたときに、当該指先の位置を検出するサーモパイルアレイ６０（指先位置検出手段）と、表示部１３に表示される表示情報において、サーモパイルアレイ６０によって検出された指先の位置に対応する対応位置に対して所定の表示処理又は所定の読取対象指定処理を行う対応位置処理手段とが設けられている。【選択図】図１
2011203944.tif 000002
【特許請求の範囲】
【請求項１】
情報コードを撮像する撮像手段と、
前記撮像手段によって撮像された情報コードを読み取る読取手段と、
前記撮像手段による前記情報コードの撮像結果及び前記読取手段による前記情報コードの読取結果の少なくともいずれかを表示可能な表示手段と、
を備えた光学的情報読取装置であって、
前記表示手段と対向する側の空間に指先が配置されたときに、当該指先の位置を検出する指先位置検出手段と、
前記表示手段に表示される表示情報において、前記指先位置検出手段によって検出された前記指先の位置に対応する対応位置に対して所定の表示処理又は所定の読取対象指定処理を行う対応位置処理手段と、
を備えたことを特徴とする光学的情報読取装置。
【請求項２】
前記撮像処理によって撮像された前記情報コードを表示し、
前記対応位置処理手段は、前記指先位置検出手段によって検出された前記指先の位置に対応する前記対応位置が前記表示手段に表示された前記情報コードの位置であるときに当該情報コードを読取対象として指定し、
前記読取手段は、前記対応位置処理手段によって指定された前記情報コードを読み取ることを特徴とする請求項１に記載の光学的情報読取装置。
【請求項３】
前記表示手段は、前記撮像処理によって複数の前記情報コードが撮像されたときに、これら複数の前記情報コードを表示可能とされており、
前記対応位置処理手段は、前記表示手段に表示される複数の前記情報コードのうち、前記対応位置にある前記情報コードを読取対象として指定することを特徴とする請求項２に記載の光学的情報読取装置。
【請求項４】
前記指先位置検出手段によって検出される前記指先の移動量を検出する移動量検出手段を備え、
前記対応位置処理手段は、前記表示手段に表示される前記表示情報において、前記指先位置検出手段によって検出された前記指先の位置に対応する前記対応位置に対し、前記移動量検出手段によって検出された前記移動量に応じた表示拡大処理又は表示縮小処理を行うことを特徴とする請求項１から請求項３のいずれか一項に記載の光学的情報読取装置。
【請求項５】
前記指先位置検出手段は、熱源を検出可能な検出素子が複数配列されると共に、それら複数の前記検出素子による検出結果に基づいて前記表示手段と対向する側の空間に存在する前記指先の位置を検出する赤外線検出手段からなることを特徴とする請求項１から請求項４のいずれか一項に記載の光学的情報読取装置。
【請求項６】
前記赤外線検出素子は、アレイ状に構成されたサーモパイルからなることを特徴とする請求項５に記載の光学的情報読取装置。
【請求項７】
情報を表示する表示手段と、
熱源を検出可能な検出素子が複数配列されると共に、それら複数の前記検出素子による検出結果に基づいて前記表示手段と対向する側の空間に存在する熱源の位置を検出する赤外線検出手段と、
前記赤外線検出手段によって検出される前記熱源の移動量を検出する移動量検出手段と、
前記表示手段に表示される表示情報において、前記赤外線検出手段によって検出された前記熱源の位置に対応する対応位置に対し、前記移動量検出手段によって検出された前記移動量に基づく所定表示処理を行う対応位置処理手段と、
を備えたことを特徴とする情報処理端末。
【発明の詳細な説明】
【技術分野】
【０００１】
本発明は、光学的情報読取装置及び情報処理端末に関するものである。
【背景技術】
【０００２】
光学的情報読取装置などの情報処理端末では、一般的に入力手段として各種操作ボタンやタッチパネルなどが設けられており、現在では、表示画面に表示される各種情報（例えば、メニュー画面に表示される各メニュー）に対して指示を与える場合、ユーザがこれら入力手段を操作することで行っている。具体的には、操作ボタンを操作することでカーソルキーの切り替えや決定などの指示を行ったり、或いはタッチパネルに対してタッチペンなどを直接接触させることで選択や決定の指示を行ったりしている。
【先行技術文献】
【特許文献】
【０００３】
【特許文献１】特許４１８０６００号公報
【発明の概要】
【発明が解決しようとする課題】
【０００４】
しかしながら、上記のように直接の接触を必要とする入力手段は、ユーザがその都度操作ボタンやタッチパネルなどを押圧しなければならず、使い勝手の面でそれほど優れているとはいえない。特に、近年の情報処理端末では、装置構成の小型化の要請から操作ボタンやタッチパネルも小型化する傾向にあり、絶えずこのような入力手段の操作を強いる構成では利便性の面で問題がある。また、操作ボタンやタッチパネルのように常に直接の接触操作が必要となる入力構成であると、入力操作に起因する衝撃や劣化が避けられず、耐久性の面でも問題である。
【０００５】
本発明は、上述した課題を解決するためになされたものであり、光学的情報読取装置又は情報処理端末において、ユーザの使い勝手が良く、耐久性の面でも有利な入力構成を提供することを目的とする。
【課題を解決するための手段】
【０００６】
請求項１の発明は、情報コードを撮像する撮像手段と、前記撮像手段によって撮像された情報コードを読み取る読取手段と、前記撮像手段による前記情報コードの撮像結果及び前記読取手段による前記情報コードの読取結果の少なくともいずれかを表示可能な表示手段と、を備えた光学的情報読取装置であって、前記表示手段と対向する側の空間に指先が配置されたときに、当該指先の位置を検出する指先位置検出手段と、前記表示手段に表示される表示情報において、前記指先位置検出手段によって検出された前記指先の位置に対応する対応位置に対して所定の表示処理又は所定の読取対象指定処理を行う対応位置処理手段と、を備えたことを特徴とする。
【０００７】
請求項２の発明は、請求項１に記載の光学的情報読取装置において、前記撮像処理によって撮像された前記情報コードを表示し、前記対応位置処理手段は、前記指先位置検出手段によって検出された前記指先の位置に対応する前記対応位置が前記表示手段に表示された前記情報コードの位置であるときに当該情報コードを読取対象として指定し、前記読取手段は、前記対応位置処理手段によって指定された前記情報コードを読み取ることを特徴とする。
【０００８】
請求項３の発明は、請求項２に記載の光学的情報読取装置において、前記表示手段は、前記撮像処理によって複数の前記情報コードが撮像されたときに、これら複数の前記情報コードを表示可能とされており、前記対応位置処理手段は、前記表示手段に表示される複数の前記情報コードのうち、前記対応位置にある前記情報コードを読取対象として指定することを特徴とする。
【０００９】
請求項４の発明は、請求項１から請求項３のいずれか一項に記載の光学的情報読取装置において、前記指先位置検出手段によって検出される前記指先の移動量を検出する移動量検出手段を備え、前記対応位置処理手段は、前記表示手段に表示される前記表示情報において、前記指先位置検出手段によって検出された前記指先の位置に対応する前記対応位置に対し、前記移動量検出手段によって検出された前記移動量に応じた表示拡大処理又は表示縮小処理を行うことを特徴とする。
【００１０】
請求項５の発明は、請求項１から請求項４のいずれか一項に記載の光学的情報読取装置において、前記指先位置検出手段は、熱源を検出可能な検出素子が複数配列されると共に、それら複数の前記検出素子による検出結果に基づいて前記表示手段と対向する側の空間に存在する前記指先の位置を検出する赤外線検出手段からなることを特徴とする。
【００１１】
請求項６の発明は、請求項５に記載の光学的情報読取装置において、前記赤外線検出素子は、アレイ状に構成されたサーモパイルからなることを特徴とする。
【００１２】
請求項７の発明は、情報処理端末において、情報を表示する表示手段と、熱源を検出可能な検出素子が複数配列されると共に、それら複数の前記検出素子による検出結果に基づいて前記表示手段と対向する側の空間に存在する熱源の位置を検出する赤外線検出手段と、前記赤外線検出手段によって検出される前記熱源の移動量を検出する移動量検出手段と、前記表示手段に表示される表示情報において、前記赤外線検出手段によって検出された前記熱源の位置に対応する対応位置に対し、前記移動量検出手段によって検出された前記移動量に基づく所定表示処理を行う対応位置処理手段と、が設けられていることを特徴とする。
【発明の効果】
【００１３】
請求項１の発明では、光学的情報読取装置において、表示手段と対向する側の空間に指先が配置されたときに、当該指先の位置を検出する指先位置検出手段と、表示手段に表示される表示情報において、指先位置検出手段によって検出された指先の位置に対応する対応位置に対して所定の表示処理又は所定の読取対象指定処理を行う対応位置処理手段とが設けられている。このようにすると、ユーザが表示手段に表示される表示情報に向けて指先を配置したときに、この指先の配置に応じてその指示された対応位置に対して所定の表示処理又は所定の読取対象指定処理を行うことができる。従って、ユーザは複雑な操作や表示装置への接触を行わずに表示に対して指示を与えることができるようになり、ユーザの使い勝手が良く、耐久性の面でも有利となる。
【００１４】
請求項２の発明は、撮像処理によって撮像された情報コードを表示し、対応位置処理手段は、指先位置検出手段によって検出された指先の位置に対応する対応位置が表示手段に表示された情報コードの位置であるときに当該情報コードを読取対象として指定し、読取手段は、対応位置処理手段によって指定された情報コードを読み取っている。このようにすると、ユーザは指先で簡単に読み取る情報コードを指示することができ、情報コードの読み取りに関して利便性が一層高まる。
【００１５】
請求項３の発明は、撮像処理によって複数の情報コードが撮像されたときに、これら複数の情報コードを表示手段に表示可能とされており、対応位置処理手段は、表示手段に表示される複数の情報コードのうち、対応位置にある情報コードを読取対象として指定している。このようにすると、複数の情報コードが撮像されたときに、ユーザが所望の情報コードを指先で簡単に選択できるようになり、複数の情報コードを撮像可能な環境下においても利便性を高めることができる。
【００１６】
請求項４の発明では、指先位置検出手段によって検出される指先の移動量を検出する移動量検出手段が設けられ、対応位置処理手段は、表示手段に表示される表示情報において、指先位置検出手段によって検出された指先の位置に対応する対応位置に対し、移動量検出手段によって検出された移動量に応じた表示拡大処理又は表示縮小処理を行っている。このようにすると、ユーザは指先の移動量を調整することによって表示情報の表示を拡大或いは縮小することができるようになり、ユーザは簡単な操作で表示を所望の倍率に変更することができる。また、移動量に応じた表示拡大処理がなされる構成であると、小さな表示情報を表示したとしても、ユーザが簡単な操作で拡大できるため、画面上に小さな表示情報を配置し易くなり、ひいては、より多くの情報を画面に配置し易くなる。
【００１７】
請求項５の発明では、指先位置検出手段は、熱源を検出可能な検出素子が複数配列されると共に、それら複数の検出素子による検出結果に基づいて表示手段と対向する側の空間に存在する指先の位置を検出する赤外線検出手段によって構成されている。このようにすると、指先を熱源として当該指先をより正確に検出できるようになる。また、熱をあまり発しない物体が表示手段に近づいたとしても指先と区別し易いため、誤検出も生じにくくなる。
【００１８】
請求項６の発明は、赤外線検出素子がアレイ状に構成されたサーモパイルによって構成されている。このようにすると、表示手段と対向して配置される指先の位置（表示手段に対する相対位置）を精度高く検出できるようになり、装置構成の小型化も図りやすくなる。  
【００１９】
請求項７の発明によれば、請求項５と同様の構成を奏する情報処理端末を実現できる。
【図面の簡単な説明】
【００２０】
【図１】図１（Ａ）は、第１実施形態に係る光学的情報読取装置を概略的に例示する平面図であり、図１（Ｂ）はその側面図である。
【図２】図２は、図１の光学的情報読取装置の電気的構成を例示するブロック図である。
【図３】図３（Ａ）は無線リーダ部の電気的構成を例示するブロック図であり、図３（Ｂ）は、情報コード読取部の電気的構成を例示するブロック図である。
【図４】図４（Ａ）は、指先が表示部１３に対向して配置される前の状態を示す説明図であり、空間側から表示部側を見た図である。図４（Ｂ）は、指先が表示部１３に対向して配置されたときの様子を示す説明図である。また、図４（Ｃ）は、指先が図４（Ｂ）の位置から移動した様子を示す説明図である。
【図５】図５（Ａ）は、図４（Ａ）のときのサーモパイルアレイでの検出の様子を説明する説明図であり、表示部側から空間側を見た図である。図５（Ｂ）は、図４（Ｂ）のときのサーモパイルアレイでの検出の様子を説明する説明図である。また、図５（Ｃ）は、図４（Ｃ）のときのサーモパイルアレイでの検出の様子を説明する説明図である。
【図６】図６（Ａ）は、図５（Ａ）のときのサーモパイルアレイでの検出値を説明する説明図であり、図６（Ｂ）は、図５（Ｂ）のときのサーモパイルアレイでの検出値を説明する説明図である。また、図６（Ｃ）は、図５（Ｃ）のときのサーモパイルアレイでの検出値を説明する説明図である。
【図７】図７（Ａ）は、ある検出時期Ｓ１のときの指先位置と次の検出時期Ｓ２のときの指先位置とを説明する説明図であり、図７（Ｂ）は、図７（Ａ）において検出時期Ｓ１から次の検出時期Ｓ２に変化したときのサーモパイルアレイでの検出値及び指先検出位置の変化を説明する説明図である。図７（Ｃ）は、図７（Ａ）において検出時期Ｓ１から次の検出時期Ｓ２に変化したときの移動量の算出方法を説明する説明図である。
【図８】図８（Ａ）は、サーモパイルアレイでの各検出値に基づいて指先位置を検出する方法を説明する説明図である。図８（Ｂ）は、図７（Ａ）のＳ１の状態からＳ２の状態に変化して指先が近づく場合（近づき）と、図７（Ａ）のＳ２のような状態からＳ１のような状態に変化して指先が離れる場合（離れ）についての移動量の算出方法を説明する説明図である。
【図９】図９は、ある検出時期Ｓ１のときの指先位置、Ｓ１の次の検出時期Ｓ２のときの指先位置、Ｓ２の次の検出時期Ｓ３のときの指先位置、Ｓ３の次の検出時期Ｓ４のときの指先位置をそれぞれ説明する説明図である。
【図１０】図１０は、図９において検出時期Ｓ１、Ｓ２、Ｓ３、Ｓ４と変化したときのサーモパイルアレイでの検出値及び指先検出位置の変化をそれぞれ説明する説明図である。
【図１１】図１１（Ａ）は、図９、図１０において、検出時期Ｓ１からＳ２までの時間ｔ１における移動量、検出時期Ｓ２からＳ３までの時間ｔ２における移動量、検出時期Ｓ３からＳ４までの時間ｔ３における移動量の算出方法を説明する説明図である。図１１（Ｂ）は、図９における各検出時期Ｓ１、Ｓ２、Ｓ３、Ｓ４に変化したときの移動量と指先位置との対応関係を説明する説明図である。
【図１２】図１２（Ａ）は、ある検出時期Ｓ１のときの指先位置、Ｓ１の次の検出時期Ｓ２のときの指先位置、Ｓ２の次の検出時期Ｓ３のときの指先位置をそれぞれ説明する説明図である。図１２（Ｂ）は、図１２（Ａ）において検出時期Ｓ１、Ｓ２、Ｓ３と変化したときのサーモパイルアレイでの検出値及び指先検出位置の変化をそれぞれ説明する説明図である。  図１２（Ｃ）は、図１２（Ａ）(Ｂ)において、検出時期Ｓ１からＳ２までの時間ｔ１における移動量、検出時期Ｓ２からＳ３までの時間ｔ２における移動量、検出時期Ｓ３からＳ２の位置まで戻った場合の移動量の算出方法を説明する説明図である。図１２（Ｄ）は、図１２における各検出時期Ｓ１、Ｓ２、Ｓ３に変化したときの移動量、移動方向、移動量の大小、指先位置との対応関係を説明する説明図である。
【図１３】図１３は、ある検出時期Ｓ１のときの指先位置、Ｓ１の次の検出時期Ｓ２のときの指先位置、Ｓ２の次の検出時期Ｓ３のときの指先位置、Ｓ３の次の検出時期Ｓ４のときの指先位置をそれぞれ説明する説明図であり、併せて各検出時期Ｓ１〜Ｓ４での表示例を説明するものである。更に、検出時期Ｓ３から検出時期Ｓ４’、Ｓ５となった場合の例（変更例）も併せて説明するものである。
【図１４】図１４は、複数の情報コードが表示画面に表示されたときの指先による指定について説明する説明図である。
【発明を実施するための形態】
【００２１】
[第１実施形態]
以下、本発明の光学的情報読取装置及び情報処理端末を具現化した第１実施形態について、図面を参照して説明する。
（光学的情報読取装置の全体構成）
まず、図１、図２等を参照して光学的情報読取装置の全体構成を概説する。図１（Ａ）は、第１実施形態に係る光学的情報読取装置を概略的に例示する平面図であり、図１（Ｂ）はその側面図である。図２は、図１の光学的情報読取装置の電気的構成を例示するブロック図である。図３（Ａ）は無線リーダ部の電気的構成を例示するブロック図であり、図３（Ｂ）は、情報コード読取部の電気的構成を例示するブロック図である。
【００２２】
本実施形態に係る光学的情報読取装置１は、例えば、図１（Ａ）（Ｂ）のような外観をなし、ユーザによって携帯されて様々な場所で用いられる携帯情報端末として構成されている。この光学的情報読取装置１は、バーコードや二次元コードなどの情報コードを読み取る情報コードリーダとしての機能と、無線タグを読み取る無線タグリーダとしての機能とを備え、読み取りを二方式で行いうる構成をなしている。
【００２３】
図２に示すように、光学的情報読取装置１は、全体的制御を司る制御部１０を備えており、この制御部１０に、メモリ１１、キー操作部１２、表示部１３、外部インターフェース１４、無線リーダ部２０、情報コード読取部３０、無線通信部４０などが接続されている。
【００２４】
制御部１０は、マイコンを主体として構成されるものであり、ＣＰＵ、システムバス、入出力インターフェース等を有し、メモリ１１とともに情報処理装置として機能している。キー操作部１２は、複数のキーによって構成され、使用者のキー操作に応じて制御部１０に対して操作信号を与える構成をなしており、制御部１０は、キー操作部１２から操作信号を受けたとき、その操作信号に応じた動作を行うように構成されている。表示部１３は、例えば液晶表示器などによって構成されており、制御部１０によって表示内容が制御されるように構成されている。また、外部インターフェース１４は、外部（例えばホスト装置）との間でのデータ通信（例えば、ケーブルを介したシリアル通信等）を行うためのインターフェースとして構成されており、制御部１０と協働して通信処理を行う構成をなしている。また、光学的情報読取装置１には、電源となるバッテリ１５や電源部１６が設けられており、これらによって制御部１０や各種電気部品に電力が供給されている。
【００２５】
無線リーダ部２０は、ハードウェア的には公知のＲＦＩＤリーダとして構成されており、アンテナ２５及び制御部１０と協働して無線タグとの間で電磁波による通信を行い、無線タグに記憶されるデータの読み取り、或いは無線タグへのデータの書き込みを行うように機能している。この無線リーダ部２０は、公知の電波方式で伝送を行う回路として構成されており、図３（Ａ）に示すように、送信回路２１、受信回路２２、整合回路２３などを有している。
【００２６】
情報コード読取部３０は、図３（Ｂ）に示すように、ＣＣＤエリアセンサなどの固体撮像素子からなる受光センサ３３、結像レンズ３７、複数個のＬＥＤやレンズ等から構成される照明部３１などを備えた構成をなしており、制御部１０と協働して読取対象物Ｒに付された情報コードＱ（例えば、バーコードやＱＲコード（登録商標））を読み取るように機能する。
【００２７】
この情報コード読取部３０では、例えばＱＲコードＱの読み取りを行う場合、まず、制御部１０から指令を受けた照明部３１にて照明光Ｌｆが出射され、この照明光Ｌｆが読取口（図示略）を通って読取対象物Ｒに照射されるようになっている。そして、照明光ＬｆがＱＲコードＱにて反射した反射光Ｌｒは読取口を通って装置内に取り込まれ、結像レンズ３７を通って受光センサ３３に受光される。なお、受光センサ３３は、「撮像手段」の一例に相当する。
【００２８】
読取口（図示略）と受光センサ３３との間に配される結像レンズ３７は、ＱＲコードＱの像を受光センサ３３上に結像させる構成をなしており、受光センサ３３はこのＱＲコードＱの像に応じた受光信号を出力する。受光センサ３３から出力される受光信号は、画像データとしてメモリ１１（図２）に記憶され、デコード処理などに用いられるようになっている。なお、情報コード読取部３０には、受光センサ３３からの信号を増幅する増幅回路や、その増幅された信号をデジタル信号に変換するＡＤ変換回路等が設けられているがこれらの回路については図示を省略している。
なお、受光センサ３３は、「撮像手段」の一例に相当する。また、制御部１０は、「読取手段」の一例に相当し、撮像手段によって撮像された情報コードを読み取るように機能する。また、表示部１３が「表示手段」の一例に相当し、撮像手段による情報コードの撮像結果及び読取手段による情報コードの読取結果の少なくともいずれかを表示するように機能する。
【００２９】
無線通信部４０は、例えば無線ＬＡＮインターフェースなどによって構成されており、無線ＬＡＮに接続された外部装置と無線通信を行うように機能するものである。
【００３０】
また、本実施形態では、制御部１０にサーモパイルアレイ６０が接続されている。サーモパイルアレイ６０は、特許Ｐ３６２６００７号公報で示されるような、公知のサーモパイル二次元センサによって構成されている。このサーモパイルアレイ６０は、例えば、表示部１３付近に配置されると共に、複数の検出素子がマトリックス状に配置されてなり、例えば、表示部１３から所定距離離れた位置における当該表示部１３とほぼ平行に配置される仮想平面において、図４のように各素子に対応した検出エリアがそれぞれ構成され、全体として検出エリアがマトリックス状に構成されるようになっている。
【００３１】
（表示制御処理）
１．指先位置の検出
本実施形態では、上述のサーモパイルアレイ６０によって指先の位置が検出されるようになっている。図１（Ｂ）、図４に示すように、サーモパイルアレイ６０は、少なくとも表示部１３と対向する側の空間を熱源の検出領域としており、図４（Ｂ）（Ｃ）のように指先が配置されたときに、この指先の熱を検出し、指先の位置を特定できるようになっている。
【００３２】
このサーモパイルアレイ６０は「指先位置検出手段」「赤外線検出手段」の一例に相当しており、表示部１３と対向する側の空間に指先が配置されたときに当該指先の位置を検出するように機能しており、具体的には、熱源を検出可能な検出素子６０ａが複数マトリックス状に配列され、それら複数の検出素子による検出結果に基づいて表示部１３と対向する側の空間に存在する指先の位置を検出するように構成されている。
【００３３】
サーモパイルアレイ６０では、表示部１３と対向する空間側においてマトリックス状に検出領域が構成されているようになっている。具体的には、表示部１３から所定距離隔てた位置において当該表示部１３と平行に位置する仮想平面Ｆ１（図１（Ｂ）を想定した場合に、この仮想平面Ｆ１において図５のような検出エリアＡＲが構成されるようになっている。
【００３４】
この検出エリアＡＲは、サーモパイルアレイ６０の各検出素子６０ａのマトリックス配置を相似的に拡大したエリアとなっており、サーモパイルアレイ６０の隅に配置される第１検出素子Ｓｅ１（検出素子６０ａ）の検出領域に相当するエリアが第１領域ＡＲ１に相当し、同様に、第２検出素子Ｓｅ２（検出素子６０ａ）の検出領域に相当するエリアが第２領域ＡＲ２、第３検出素子Ｓｅ３（検出素子６０ａ）の検出領域に相当するエリアが第３領域ＡＲ３、第４検出素子Ｓｅ４（検出素子６０ａ）の検出領域に相当するエリアが第４領域ＡＲ４と続き、最後の第１６検出素子Ｓｅ１６（検出素子６０ａ）の検出領域に相当するエリア（第１６領域ＡＲ１６）までマトリックス状に構成される。
【００３５】
なお、図４、図５等では、表示部１３から所定距離隔てた位置の仮想平面Ｆ１（図１（Ｂ）で構成される検出エリアＡＲを概念的に説明しているが、この仮想平面Ｆ１から表示部１３にやや近付いた平行面或いは仮想平面Ｆ１からやや遠ざかった平行面であっても検出エリアＡＲとほぼ同様の検出エリアが構成されるようになっている。
【００３６】
このようなサーモパイルアレイ６０が配置されているため、例えば図４（Ｂ）のように指先が配置され、図４（Ｂ）図５（Ｂ）のように検出エリアＡＲ内に指先が入った場合、図６（Ｂ）のように熱検知がなされる。なお、図６（Ｂ）では、Ｙ２行Ｘ２列の部分が第６検出素子Ｓｅ６に相当する第６領域ＡＲ６の値を示しており、この第６領域ＡＲ６の状態値が熱検知を示す値である「１」に変更されている。第１領域ＡＲ１、第２領域ＡＲ２、第３領域ＡＲ３でも同様に「１」に変更されている。
【００３７】
なお、本実施形態で用いられる各検出素子６０ａは、検出素子６０ａで検出される温度が所定閾値を超える場合の当該検出素子６０ａの状態値が「１」が示され、閾値未満の場合には状態値として「０」が示されるようになっている。また、図５（Ｃ）のように仮想平面Ｆ１付近において指先が移動したときには、第９領域ＡＲ９〜第１６領域ＡＲ１６で指先の熱が検出されるため、図６（Ｃ）のような値となる。また、本実施形態では、図５（Ｂ）（Ｃ）のように、複数の領域（領域の島）が検出された場合、その領域番号の最も大きい領域を指先の位置として定めている。例えば、図５（Ｂ）の例では、ＡＲ１、２、５、６（領域の島）のうち、最も大きい番号「６」が付された第６領域を指先位置として決定している（図６（Ｂ）の丸印、図７（Ａ）の説明参照）。同様に、図５（Ｃ）の例では、ＡＲ９〜１６のうち、最も大きい番号「１６」が付された第１６領域を指先位置として決定している（図６（Ｃ）の丸印参照）。
【００３８】
２．移動量、移動方向の検出
更に、本実施形態では、一定の時間間隔（ｔ１）毎に上記サーモパイルアレイ６０での検出を行い、検出エリアＡＲ内の各検出領域の値の変化に基づいて移動量を算出している。例えば、ある検出時期Ｓ１から上記時間ｔ１が経過した次の検出時期Ｓ２までに移動した移動量は、図７（Ｂ）のように算出されるようになっており、「近づき」の場合も「離れ」の場合も同様に算出されるようになっている。本実施形態全体を通して、「移動量」は、変化後の指先検出位置（座標）におけるＸ座標値とＹ座標値との和から、変化前の指先検出位置（座標）におけるＸ座標値とＹ座標値との和を引いたものである。具体的には、図８（Ａ）のように、Ｓ１からＳ２の変化において「近づき」となる場合、上記の指先検出方法に従って、図８（Ｂ）のような検出値が得られる。そして、この場合、Ｘ方向、Ｙ方向いずれも２つずつ移動しているため、図８（Ｃ）のように移動量は「４」となる。
【００３９】
図９では、Ｓ１から複数時期（Ｓ１〜Ｓ４）に亘って移動した場合を示しており、この場合も上記指先検出方法に従って、図１０のＳ１〜Ｓ４のような状態値がそれぞれ得られ、各指先位置が検出される（Ｓ２〜Ｓ４の丸印）。そして、時期Ｓ１〜Ｓ２に変化した時間ｔ２のときの移動量（ｔ１）、時期Ｓ２〜Ｓ３に変化した時間ｔ２のときの移動量（ｔ２）、時期Ｓ３〜Ｓ４に変化した時間ｔ３のときの移動量（ｔ３）が図１１（Ａ）のように算出され、図１１（Ｂ）のような結果（各時期の移動量と指先位置の結果）が得られる。
なお、本実施形態では、制御部１０が移動量検出手段の一例に相当し、指先位置検出手段によって検出される指先の移動量を検出するように機能する。
【００４０】
また、本実施形態では、移動方向を検出している。移動方向については、指先検出位置のＸ方向増加量（減少量）とＹ方向増加量（減少量）とを加算し、合計して正の値であれば移動方向が近づいていると判定し、合計して負の値であれば移動方向が遠ざかっていると判定している。図１２の例では、図１２（Ａ）のようにＳ１、Ｓ２、Ｓ３と変化したときの各状態値（図１２（Ｂ））に基づいて、図１２（Ｃ）のように移動量を判断しており、更に、各時期の変化において移動方向を判断している。
【００４１】
さらに、図１２の例では、検出された移動量を複数の段階に分けており、例えば、移動量が第１の閾値（ここでは「２」）以下であれば、移動量「小」と判定し、移動量が第２の閾値（ここでは「３」）以上であれば移動量「大」と判定している。図１２（Ｄ）は、図１２（Ａ）のような指先移動がなされたときの、移動量の大小、移動方向、指先位置の判定結果を示している。
【００４２】
３．表示処理
本実施形態では、各時期毎に検出されるこのような移動量の大小、移動方向、指先位置の検出に基づいて、図１３のように表示処理を行っている。図１３の例では、時期Ｓ１から時期Ｓ２に変化したときに「え」の位置に対応する検出領域ＡＲ１（図４、図５等）で指先の検出がなされ、移動方向が「近」、移動量が「小」と判断される場合を示している。この場合、Ｓ２での指先位置（検出領域ＡＲ１）に対応する表示情報（即ち「え」）を拡大する表示処理を行っている。また、Ｓ３では、Ｓ２の状態から更に近づけられ、、移動方向が「近」、移動量が「小」と判断される場合を示している。この場合、Ｓ３での指先位置（検出領域ＡＲ６）に対応する表示情報（即ち「え」）をさらに拡大する表示処理を行っている。
【００４３】
一方、Ｓ４では、Ｓ３の状態から大きく遠ざけられ、移動方向が「遠」、移動量が「大」と判断される場合を示している。この場合、Ｓ３で拡大処理が行われた拡大表示情報（即ち「え」）を大きく縮小する表示処理を行っている。また、別例として、Ｓ４’のように、Ｓ３の状態から小さく遠ざけられ、移動方向が「遠」、移動量が「小」と判断される場合、Ｓ３で拡大表示が行われていた拡大表示情報を小さく縮小する表示処理を行っている。そして、Ｓ５のように更に遠ざけることで、更なる縮小表示を行っている。
【００４４】
本実施形態では、制御部１０が「対応位置処理手段」の一例に相当し、表示部１３に表示される表示情報において、指先位置検出手段によって検出された指先の位置に対応する対応位置に対して所定の表示処理又は所定の読取対象指定処理を行うように機能し、具体的には、表示部１３に表示される表示情報において、指先位置検出手段によって検出された指先の位置に対応する対応位置に対し、移動量検出手段によって検出された移動量に応じた表示拡大処理又は表示縮小処理を行うように機能している。
【００４５】
４．情報コード読取処理
また、本実施形態では、受光センサ３３によって情報コードＱが撮像されたときに、指先によって情報コードを指定できるようになっている。
本実施形態では、受光センサ３３によって複数の情報コードＱが撮像されたときに、図１４のように、これら情報コードＱを表示部１３に表示させるように制御がなされるようになっている。そして、その状態で指先の検出を受け付け、例えば図４（Ｂ）のように指先が配置された場合には、上記のように指先位置を検出すると共に、この指先の領域（即ち検出領域ＡＲ６）に配置されている情報コードＱ４を読み取ることができる。
【００４６】
このように、本実施形態では、撮像処理によって撮像された情報コードを表示することもでき、上記「対応位置処理手段」は、指先位置検出手段によって検出された指先の位置に対応する対応位置が表示部１３に表示された情報コードＱの位置であるときに当該情報コードを読取対象として指定している。そして、上記「読取手段」は、「対応位置処理手段」によって指定された情報コードＱを読み取っている。
【００４７】
（第１実施形態の主な効果）
本実施形態に係る光学的情報読取装置１では、表示部１３と対向する側の空間に指先が配置されたときに、当該指先の位置を検出する指先位置検出手段と、表示部１３に表示される表示情報において、指先位置検出手段によって検出された指先の位置に対応する対応位置に対して所定の表示処理又は所定の読取対象指定処理を行う対応位置処理手段とが設けられている。このようにすると、ユーザが表示部１３に表示される表示情報に向けて指先を配置したときに、この指先の配置に応じてその指示された対応位置に対して所定の表示処理又は所定の読取対象指定処理を行うことができる。従って、ユーザは複雑な操作や表示装置への接触を行わずに表示に対して指示を与えることができるようになり、ユーザの使い勝手が良く、耐久性の面でも有利となる。
【００４８】
また、本実施形態では、撮像処理によって撮像された情報コードＱを表示し、対応位置処理手段は、指先位置検出手段によって検出された指先の位置に対応する対応位置が表示部１３に表示された情報コードＱの位置であるときに当該情報コードＱを読取対象として指定し、読取手段は、対応位置処理手段によって指定された情報コードを読み取っている。このようにすると、ユーザは指先で簡単に読み取る情報コードＱを指示することができ、情報コードＱの読み取りに関して利便性が一層高まる。
【００４９】
また、本実施形態では、撮像処理によって複数の情報コードＱが撮像されたときに、これら複数の情報コードＱを表示部１３に表示可能とされており、対応位置処理手段は、表示部１３に表示される複数の情報コードＱのうち、対応位置にある情報コードを読取対象として指定している。このようにすると、複数の情報コードＱが撮像されたときに、ユーザが所望の情報コードを指先で簡単に選択できるようになり、複数の情報コードＱを撮像可能な環境下においても利便性を高めることができる。
【００５０】
また、本実施形態では、指先位置検出手段によって検出される指先の移動量を検出する移動量検出手段が設けられ、対応位置処理手段は、表示部１３に表示される表示情報において、指先位置検出手段によって検出された指先の位置に対応する対応位置に対し、移動量検出手段によって検出された移動量に応じた表示拡大処理又は表示縮小処理を行っている。このようにすると、ユーザは指先の移動量を調整することによって表示情報の表示を拡大或いは縮小することができるようになり、ユーザは簡単な操作で表示を所望の倍率に変更することができる。また、移動量に応じた表示拡大処理がなされる構成であると、小さな表示情報を表示したとしても、ユーザが簡単な操作で拡大できるため、画面上に小さな表示情報を配置し易くなり、ひいては、より多くの情報を画面に配置し易くなる。
【００５１】
また、本実施形態では、指先位置検出手段は、熱源を検出可能な検出素子が複数配列されると共に、それら複数の検出素子による検出結果に基づいて表示部１３と対向する側の空間に存在する指先の位置を検出する赤外線検出手段によって構成されている。このようにすると、指先を熱源として当該指先をより正確に検出できるようになる。また、熱をあまり発しない物体が表示部１３に近づいたとしても指先と区別し易いため、誤検出も生じにくくなる。
【００５２】
また、本実施形態では、赤外線検出素子がアレイ状に構成されたサーモパイルによって構成されている。このようにすると、表示部１３と対向して配置される指先の位置（表示部１３に対する相対位置）を精度高く検出できるようになり、装置構成の小型化も図りやすくなる。
【００５３】
［他の実施形態]
本発明は上記記述及び図面によって説明した実施形態に限定されるものではなく、例えば次のような実施形態も本発明の技術的範囲に含まれる。
【００５４】
上記実施形態では、４×４で検出素子が配置されたサーモパイルアレイを例示したが素子数や素子配列はこれに限定されない。
【００５５】
上記実施形態では、情報処置端末の例として携帯型の光学的情報読取装置１を例示したが、これ以外の情報処理端末に適用してもよい。例えば、カーナビゲーション装置の表示部付近の同様のサーモパイルアレイ６０を配置し、上記実施形態と同様に適用してもよい。
【符号の説明】
【００５６】
１…光学的情報読取装置
１０…制御部（読取手段、対応位置処理手段）
１３…表示部（表示手段）
３３…受光センサ（撮像手段）
６０…サーモパイルアレイ（指先位置検出手段、赤外線検出手段）
Ｑ…情報コード
【図１】
2011203944.tif 000003
【図２】
2011203944.tif 000004
【図３】
2011203944.tif 000005
【図４】
2011203944.tif 000006
【図５】
2011203944.tif 000007
【図６】
2011203944.tif 000008
【図７】
2011203944.tif 000009
【図８】
2011203944.tif 000010
【図９】
2011203944.tif 000011
【図１０】
2011203944.tif 000012
【図１１】
2011203944.tif 000013
【図１２】
2011203944.tif 000014
【図１３】
2011203944.tif 000015
【図１４】
2011203944.tif 000016